(57)【要約】【課題】ドレン水を機器外へ排水するための排水管や排水溝を不要にして施工性を向上すると共に、地球環境保全の観点から窒素酸化物の生成量を低減すること。【解決手段】空気を送り込む燃焼用ファン１と、この燃焼用ファン１で送り込まれた空気が通過する空気流路部２と、主熱交換器５の後流側に設けられ潜熱を回収する副熱交換器６と、中和剤を有し副熱交換器６で生じた結露水を中和する中和装置９と、該中和装置９から排出されるドレン水を蓄えるドレン水キャッチタンク１６と、該ドレン水キャッチタンク１６のドレン水を空気流路部２に噴霧するドレン水噴霧用ノズル１８を備えている。これによって、燃焼時に高温状態で発生する窒素酸化物の生成量を低減することができると共に、ドレン水を機器外へ導くための排水管や排水溝を不要にすることができる。【選択図】　図１
2004132642.tif 000002
【特許請求の範囲】
【請求項１】
空気を送り込む燃焼用ファンと、この燃焼用ファンによって送給される空気が通過する空気流路部と、燃料ガスを噴射する燃料ガス噴射ノズルと、前記燃料ガス噴射ノズルからの燃料ガスと空気が混合した予混合気を燃焼させるバーナーと、前記バーナーで燃焼された熱を回収する主熱交換器と、前記主熱交換器の後流側に設けられ潜熱を回収する副熱交換器と、前記副熱交換器で生じた結露水を導く結露水流路と、中和剤を有し前記結露水を中和する中和装置と、前記副熱交換器と前記主熱交換器とを連通する通水路と、前記中和装置から排出されるドレン水が通過するドレン水流路と、前記ドレン水流路と連通し前記ドレン水を蓄えるドレン水キャッチタンクと、前記ドレン水キャッチタンクのドレン水を前記空気流路部に噴霧するドレン水噴霧装置を備えた潜熱回収型ガス給湯機。
【請求項２】
空気流路部にベンチュリ管式流路を設け、ドレン水噴霧装置は、前記ベンチュリ管式流路にドレン水を噴霧する請求項１に記載の潜熱回収型ガス給湯機。
【請求項３】
ドレン水噴霧装置は、ドレン水を燃料ガス噴射ノズルの下流部に噴霧する請求項１に記載の潜熱回収型ガス給湯機。
【請求項４】
ドレン水噴霧装置は、ドレン水を燃焼用ファン部に噴霧する請求項１に記載の潜熱回収型ガス給湯機。
【請求項５】
ドレン水噴霧装置は、燃焼用ファンの駆動軸と同軸の回転体噴霧器として形成された請求項１に記載の潜熱回収型ガス給湯機。
【請求項６】
ドレン水噴霧装置は、超音波式噴霧器として形成され、前記超音波式噴霧器を介しドレン水を燃焼用ファン部に噴霧する請求項１に記載の潜熱回収型ガス給湯機。
【請求項７】
ドレン水噴霧装置は、超音波式噴霧器として形成され、ドレン水を空気流路部に直接噴霧する請求項１に記載の潜熱回収型ガス給湯機。
【請求項８】
ドレン水噴霧装置は、超音波式噴霧器として形成され、ドレン水をバーナーの下流側のバーナー炎口付近に噴霧する請求項１に記載の潜熱回収型ガス給湯機。
【発明の詳細な説明】
【０００１】
【発明の属する技術分野】
本発明は、燃焼ガス中の潜熱を回収する潜熱回収型ガス給湯機に関し、更に詳しくは、中和装置から排出されるドレン水を水蒸気の形で装置内部に噴霧すると共に、装置内に噴霧されたドレン水によって火炎温度を低下させ燃焼時に発生する窒素酸化物の生成量を低減させた潜熱回収型ガス給湯機に関するものである。
【０００２】
【従来の技術】
従来、この種の潜熱回収型ガス給湯機はたとえば図９のような構成になっていた。図９において、燃料ガス噴射ノズル３から噴射された燃料ガスは、燃焼用ファン１から空気流路部２に送り込まれた空気とバーナースロート部で予混合されてバーナー４に送り込まれ燃焼される。通水路１０内の水は、熱効率の向上を図るため副熱交換器６内で高温の燃焼ガスによって予め温められた後、主熱交換器５内へと導かれる。副熱交換器６にて高温の燃焼ガスは通水路１０内の水によって冷却され、燃焼ガス中の水蒸気は酸性の結露水となる。酸性結露水は、結露水流路７によって中和装置９へと導かれ、中和剤８によって中和される。中和装置９で中和された結露水は、ドレン水としてドレン水流路１１を通ってドレン水排水配管１２へと導かれ、排水溝１３へと排水される。
【０００３】
【発明が解決しようとする課題】
しかしながら、上記従来の潜熱回収型ガス給湯機では、中和装置９から排出されるドレン水は全て装置外へと排水されていたので専用のドレン水排水配管１２および排水溝１３の整備が必要となるので、装置設置時にはそれらの工事が別途必要となるという課題があり、また、地球環境的観点から、従来の燃焼方式で発生する窒素酸化物の生成量をさらに低減させる必要があるという課題を有していた。
【０００４】
【課題を解決するための手段】
前記従来の課題を解決するために、本発明の潜熱回収型ガス給湯機は、空気を送り込む燃焼用ファンと、この燃焼用ファンで送り込まれた空気が通過する空気流路部と、主熱交換器の後流側に設けられ潜熱を回収する副熱交換器と、中和剤を有し、前記副熱交換器で生じた結露水を中和する中和装置と、該中和装置から排出されるドレン水を蓄えるドレン水キャッチタンクと、該ドレン水キャッチタンクのドレン水を前記空気流路部に噴霧するドレン水噴霧装置を備えたものである。そして、この噴霧されたドレン水は燃焼時に水蒸気となって放出されるので、燃焼時の火炎温度を低下させるという作用がり、これによって、燃焼時に高温状態で発生する窒素酸化物の生成量を低減することができると共に、専用のドレン水の排水管および排水溝の整備が不要となるので、機器設置時に余分な工事が伴わないというメリットがある。
【０００５】
【発明の実施の形態】
請求項１に記載の発明は、中和装置から排出されるドレン水を、ドレン水キャッチタンクにて貯水し、ドレン水噴霧用ノズルにて空気流路部に微粒化噴霧する構成となっている。そして、空気流路部に微粒化噴霧されたドレン水は、燃料ガス噴射ノズルから噴射された燃料ガスと燃焼用ファンで送り込まれた空気がバーナースロート部で予混合される際に同時に混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【０００６】
請求項２に記載の発明は、中和装置から排出されるドレン水を、ドレン水キャッチタンクにて貯水し、ドレン水噴霧用ノズルにて空気流路部のベンチュリ管式流路に微粒化噴霧する構成となっている。そして、空気流路部のベンチュリ管式流路に微粒化噴霧されたドレン水は、燃料ガス噴射ノズルから噴射された燃料ガスと燃焼用ファンで送り込まれた空気がバーナースロート部で予混合される際に同時に混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【０００７】
請求項３に記載の発明は、中和装置から排出されるドレン水を、ドレン水キャッチタンクにて貯水し、ドレン水噴霧用ノズルにて燃料ガス噴射ノズル下流部に微粒化噴霧する構成となっている。そして、燃料ガス噴射ノズル下流部に微粒化噴霧されたドレン水は、燃料ガス噴射ノズルから噴射された燃料ガスと燃焼用ファンで送り込まれた空気がバーナースロート部で予混合される際に同時に混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【０００８】
請求項４に記載の発明は、中和装置から排出されるドレン水を、ドレン水キャッチタンクにて貯水し、ドレン水噴霧用ノズルにて燃焼用ファン部に微粒化噴霧する構成となっている。そして、燃焼用ファン内に微粒化噴霧されたドレン水は、燃焼用ファンによって送り込まれる空気に混合され、さらに燃料ガス噴射ノズルから噴射された燃料ガスとバーナースロート部で予混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【０００９】
請求項５に記載の発明は、中和装置から排出されるドレン水を、ドレン水キャッチタンクにて貯水し、燃焼用ファン駆動軸と同軸の回転体噴霧器にて燃焼用ファン内に飛散噴霧する構成となっている。そして、燃焼用ファン内に飛散噴霧されたドレン水は、燃焼用ファンによって送り込まれる空気に混合され、さらに燃料ガス噴射ノズルから噴射された燃料ガスとバーナースロート部で予混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【００１０】
請求項６に記載の発明は、中和装置から排出されるドレン水を、ドレン水キャッチタンクにて貯水し、超音波式噴霧器にて燃焼用ファン内に微粒化噴霧する構成となっている。そして、燃焼用ファン内に微粒化噴霧されたドレン水は、燃焼用ファンによって送り込まれる空気に混合され、さらに燃料ガス噴射ノズルから噴射された燃料ガスとバーナースロート部で予混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【００１１】
請求項７に記載の発明は、中和装置から排出されるドレン水を、ドレン水キャッチタンクにて貯水し、超音波式噴霧器にて空気流路部に微粒化噴霧する構成となっている。そして、空気流路部に微粒化噴霧されたドレン水は、燃料ガス噴射ノズルから噴射された燃料ガスと燃焼用ファンで送り込まれた空気がバーナースロート部で予混合される際に同時に混合され、バーナーでの燃焼時に水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【００１２】
請求項８に記載の発明は、中和装置から排出されるドレン水を、ドレン水キャッチタンクにて貯水し、超音波式噴霧器にてバーナー下流側に微粒化噴霧する構成となっている。そして、バーナー下流側に微粒化噴霧されたドレン水は、バーナーでの燃焼時の熱によって水蒸気となって大気中に放出されるため、従来必要であった専用のドレン水排水配管および排水溝の整備が不要となり、装置設置時にそれらの別途工事も不要とすることができる。また予混合気に混合されたドレン水によってバーナー燃焼時の火炎温度が低下し、ＮＯｘ生成量を低減させることができる。
【００１３】
【実施例】
以下本発明の実施例について、図面を参照しながら説明する。
【００１４】
（実施例１）
図１は、本発明の実施例１における潜熱回収型ガス給湯機の構成図である。図１において、ドレン水キャッチタンク１６は、中和装置９から排出されるドレン水が導かれるドレン水流路１１と接続され、過剰に貯水されたドレン水をドレン水キャッチタンク１６外に排出するドレン水オーバーフロー流路１４、およびドレン水キャッチタンク内を大気圧に開放するための大気開放ポート１５を有している。空気流路部２には、ドレン水キャッチタンク１６に貯水されたドレン水を空気流路部２内に微粒化噴霧するためのドレン水噴霧用ノズル１８が接続されている。
【００１５】
以上のように構成されたドレン水を空気流路部に微粒化噴霧するドレン水噴霧装置を有する潜熱回収型ガス給湯機について、以下その動作、作用を説明する。
【００１６】
燃料ガス噴射ノズル３から噴射された燃料ガスは、燃焼用ファン１から空気流路部２に送り込まれた空気とバーナースロート部で予混合されてバーナー４に送り込まれ燃焼される。通水路１０内の水は、熱効率の向上を図るため副熱交換器６内で高温の燃焼ガスによって予め温められた後、主熱交換器５内へと導かれる。この副熱交換器６における熱交換が潜熱回収部分である。副熱交換器６にて高温の燃焼ガスは通水路１０内の水によって冷却され、燃焼ガス中の水蒸気は結露水となる。この結露水には、燃焼ガス中に含まれるＣＯ２やＮＯｘの成分が溶解しているため、通常ｐＨ２からｐＨ４の酸性を呈する。酸性の結露水は、結露水流路７によって中和装置９へと導かれ、中和剤８によって中和される。中和剤８としては、たとえば固体の炭酸カルシウムが用いられる。中和装置９で中和された結露水は、ドレン水としてドレン水流路１１を通ってドレン水キャッチタンク１６内へと導かれ貯水される。ドレン水キャッチタンク１６にはドレン水オーバーフロー流路１４が設けられており、過剰にドレン水が貯水された場合にはドレン水キャッチタンク１６外へ排出される。燃焼用ファン１から燃焼用ファン送風口に送り込まれた空気が、空気流路部２にドレン水キャッチタンク１６から接続されたドレン水噴霧用ノズル１８部分を通過する際に負圧が生じ、ドレン水は微粒化されて空気流路部２へと噴霧される。空気流路部２に微粒化噴霧されたドレン水は、燃料ガス噴射ノズル３から噴射された燃料ガスと燃焼用ファン１で送り込まれた空気がバーナースロート部で予混合される際に同時に混合され、バーナー４での燃焼時に水蒸気となって大気中に放出される。
【００１７】
以上のように、本実施例においてはドレン水を空気流路部に微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００１８】
（実施例２）
図２は、本発明の実施例２における潜熱回収型ガス給湯機の構成図である。なお、実施例１と同一構造のものは同一番号を付し、説明は省略する。図２において、図２において、実施例１の図１と異なるところは、空気流路部２内にベンチュリ管式流路１７を設け、ドレン水噴霧用ノズル１８の先端をベンチュリ管式流路１７内に接続したことである。これによって燃焼用ファン１から燃焼用ファン送風口に送り込まれた空気の一部が、空気流路部２内のベンチュリ管式流路１７内を通過する際に空気流速が増加されてより大きな負圧が生じ、ドレン水噴霧用ノズル１８からの微粒化が促進される。ベンチュリ管式流路１７内に微粒化噴霧されたドレン水は、燃料ガス噴射ノズル３から噴射された燃料ガスと燃焼用ファン１で送り込まれた空気がバーナースロート部で予混合される際に同時に混合され、バーナー４での燃焼時に水蒸気となって大気中に放出される。
【００１９】
以上のように、本実施例においてはドレン水を空気流路部内に設けたベンチュリ管式流路に微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００２０】
（実施例３）
図３は、本発明の実施例３における潜熱回収型ガス給湯機の構成図である。なお、実施例１および実施例２と同一構造のものは同一番号を付し、説明は省略する。図３において、実施例１の図１と異なるところは、ドレン水噴霧用ノズル１８先端を燃料ガス噴射ノズル３下流部のバーナースロート部に配置したことである。これによって燃料ガス噴射時にドレン水噴霧用ノズル１８先端部に負圧が生じ、ドレン水は微粒化されてバーナースロート部に噴霧される。バーナースロート部に微粒化噴霧されたドレン水は、燃料ガス噴射ノズルから噴射された燃料ガスと燃焼ファンで送り込まれた空気がバーナースロート部で予混合される際に同時に混合され、バーナー４での燃焼時に水蒸気となって大気中に放出される。
【００２１】
以上のように、本実施例においてはドレン水をバーナースロート部に微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００２２】
（実施例４）
図４は、本発明の実施例４における潜熱回収型ガス給湯機の構成図である。なお、実施例１から実施例３と同一構造のものは同一番号を付し、説明は省略する。図４において、実施例１の図１と異なるところは、ドレン水噴霧用ノズル１８先端を燃焼用ファン１部に配置し、燃焼用ファン１の送風口に向かって噴霧する構成としたことである。これによって燃焼用ファン回転時にドレン水噴霧用ノズル１８先端部に負圧が生じ、ドレン水は微粒化されて燃焼用ファン１の送風口に向かって噴霧される。燃焼用ファン１の送風口から空気流路部２内に微粒化噴霧されたドレン水は、燃焼用ファン１によって送り込まれる空気に混合され、さらに燃料ガス噴射ノズル３から噴射された燃料ガスとバーナースロート部で予混合され、バーナー４での燃焼時に水蒸気となって大気中に放出される。
【００２３】
以上のように、本実施例においてはドレン水を燃焼用ファンの送風口に向かって微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００２４】
（実施例５）
図５は、本発明の実施例５における潜熱回収型ガス給湯機の構成図である。お、実施例１から実施例４と同一構造のものは同一番号を付し、説明は省略する。図５（ａ）において、実施例１の図１と異なるところは、ドレン水キャッチタンク１６にて貯水されたドレン水を、燃焼用ファン１駆動軸と同軸の回転軸を有する回転体噴霧器１９にて燃焼用ファン１内に微粒化噴霧する構成としたことである。ここで燃焼用ファン１駆動軸は中空構造となっており、その内部にドレン水が導かれている。回転体噴霧器１９は、回転するカップ形状あるいは円盤形状の縁から遠心力を受けて液体を飛散させるもので、ここでは図５（ｂ）の燃焼用ファン部断面図に示すように燃焼用ファン羽根の内側に配置している。この回転体噴霧器１９の回転軸は燃焼用ファン１駆動軸と同軸であるため、燃焼ファン１回転時に同時に回転体部分が回転し、遠心力を受けて先端部からドレン水を燃焼用ファン１内に飛散噴霧させることができる。燃焼用ファン１内に飛散噴霧されたドレン水は、燃焼用ファン１によって送り込まれる空気に混合され、さらに燃料ガス噴射ノズル３から噴射された燃料ガスとバーナースロート部で予混合され、バーナー４での燃焼時に水蒸気となって大気中に放出される。
【００２５】
以上のように、本実施例においてはドレン水を燃焼用ファン内に飛散噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００２６】
（実施例６）
図６は、本発明の実施例６における潜熱回収型ガス給湯機の構成図である。なお、実施例１から実施例５と同一構造のものは同一番号を付し、説明は省略する。図６において、実施例１の図１と異なるところは、ドレン水キャッチタンク１６にて貯水されたドレン水を、超音波式噴霧器２０にて燃焼用ファン１内に配置し、燃焼用ファン１の送風口に向かって噴霧する構成としたことである。この超音波式噴霧器２０には、たとえば振動子２１先端部にドレン水を供給し、毛状波の分裂を利用して微粒化する構成が挙げられる。燃焼用ファン１内の送風口に向かって微粒化噴霧されたドレン水は、燃焼用ファン１によって送り込まれる空気に混合され、さらに燃料ガス噴射ノズル３から噴射された燃料ガスとバーナースロート部で予混合され、バーナー４での燃焼時に水蒸気となって大気中に放出される。
【００２７】
以上のように、本実施例においてはドレン水を燃焼用ファンの送風口に向かって微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００２８】
（実施例７）
図７は、本発明の実施例７における潜熱回収型ガス給湯機の構成図である。なお、実施例１から実施例６と同一構造のものは同一番号を付し、説明は省略する。図７において、実施例１の図１と異なるところは、ドレン水キャッチタンク１６にて貯水されたドレン水を、超音波式噴霧器２０にて空気流路部２に微粒化噴霧する構成としたことである。空気流路部２に微粒化噴霧されたドレン水は、燃料ガス噴射ノズル３から噴射された燃料ガスと燃焼ファン１で送り込まれた空気がバーナースロート部で予混合される際に同時に混合され、バーナー４での燃焼時に水蒸気となって大気中に放出される。
【００２９】
以上のように、本実施例においてはドレン水を空気流路部内に微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００３０】
（実施例８）
図８は、本発明の実施例８における潜熱回収型ガス給湯機の構成図である。なお、実施例１から実施例７と同一構造のものは同一番号を付し、説明は省略する。図８において、実施例１の図１と異なるところは、ドレン水キャッチタンク１６にて貯水されたドレン水を、超音波式噴霧器２０にてバーナー４下流側のバーナー炎口付近に微粒化噴霧する構成としたことである。バーナー炎口付近に微粒化噴霧されたドレン水は、バーナー４での燃焼時の熱によって水蒸気となって大気中に放出される。
【００３１】
以上のように、本実施例においてはドレン水をバーナー下流側のバーナー炎口付近に微粒化噴霧するドレン水噴霧装置を備え、燃焼時に水蒸気となって大気中に放出される構成とすることにより、従来必要であった専用のドレン水排水配管および排水溝の整備が不要となり、装置設置時にそれらの別途工事も不要とすることができる。また燃焼時に予混合気内に混合された微粒化ドレン水が存在することにより火炎温度が低下し、高温状態で生成されるサーマルＮＯｘ生成量を低減させることもできる。
【００３２】
【発明の効果】
以上のように、本発明の潜熱回収型ガス給湯機によれば、副熱交換器で生成した結露水を中和装置を介してドレン水として回収し、さらに、このドレン水を噴霧装置を介して空気通路部に噴霧するようにしているので、バーナの燃焼時の火炎温度を低下させるという作用がり、これによって、燃焼時に高温状態で発生する窒素酸化物の生成量を低減することができるという効果がある。また、ドレン水は機器内部で処理されるので、別途にドレン水用としての排水管や排水溝等は不要となり、したがって、これに伴う機器設置時の余分な工事も不要になるというメリットがある。
【図面の簡単な説明】
【図１】本発明の実施例１における潜熱回収型ガス給湯機の構成図
【図２】本発明の実施例２における潜熱回収型ガス給湯機の構成図
【図３】本発明の実施例３における潜熱回収型ガス給湯機の構成図
【図４】本発明の実施例４における潜熱回収型ガス給湯機の構成図
【図５】本発明の実施例５における潜熱回収型ガス給湯機の構成図
【図６】本発明の実施例６における潜熱回収型ガス給湯機の構成図
【図７】本発明の実施例７における潜熱回収型ガス給湯機の構成図
【図８】本発明の実施例８における潜熱回収型ガス給湯機の構成図
【図９】従来の潜熱回収型ガス給湯機の構成図
【符号の説明】
１　燃焼用ファン
２　空気流路部
３　燃料ガス噴射ノズル
４　バーナー
５　主熱交換器
６　副熱交換器
７　結露水流路
９　中和装置
１０　通水路
１１ドレン水流路
１６　ドレン水キャッチタンク
１７　ベンチュリ管式流路
１８　ドレン水噴霧用ノズル
１９　回転体噴霧器
２０　超音波式噴霧器
【図１】
2004132642.tif 000003
【図２】
2004132642.tif 000004
【図３】
2004132642.tif 000005
【図４】
2004132642.tif 000006
【図５】
2004132642.tif 000007
【図６】
2004132642.tif 000008
【図７】
2004132642.tif 000009
【図８】
2004132642.tif 000010
【図９】
2004132642.tif 000011